(57)【要約】【課題】シャワーヘッド内の水の漏出を抑制するシャワーヘッドを提供する。【解決手段】本発明に係るシャワーヘッドは、シャワーヘッド内部で基端側から先端側に延在する吐水管と、複数の散水孔が設けられた散水面が同一面上に形成された散水板と、吐水管と散水板の外周部とを接続し、吐水管に流れる水を前記散水孔に導く通水部とを備え、散水板の先端側が基端側よりも高く位置するように置かれる、シャワーヘッドであって、吐水管の下流端部と通水部との接続箇所は、吐水管が延在する方向において、散水板の基端側の端部よりも先端側に位置し、通水部は、吐水管と散水板との間で水を通す通水スペースを形成し、通水スペースは、散水板の中心位置に対して基端側の第１通水スペースと、散水板の中心位置に対して先端側の第２通水スペースとで構成され、第２通水スペースの容積は、第１通水スペースの容積よりも大きい。【選択図】図６Ｂ
2019097674.tif 000002
【特許請求の範囲】
【請求項１】
シャワーヘッド内部で基端側から先端側に延在する吐水管と、
複数の散水孔が設けられた散水面が同一面上に形成された散水板と、
前記吐水管と前記散水板の外周部とを接続し、前記吐水管に流れる水を前記散水孔に導く通水部と、を備え、
前記散水板の先端側が基端側よりも高く位置するように置かれる、シャワーヘッドであって、
前記吐水管の下流端部と前記通水部との接続箇所は、前記吐水管が延在する方向において、前記散水板の基端側の端部よりも先端側に位置し、
前記通水部は、前記吐水管と前記散水板との間で水を通す通水スペースを形成し、
前記通水スペースは、前記散水板の中心位置に対して基端側の第１通水スペースと、前記散水板の中心位置に対して先端側の第２通水スペースと、で構成され、
前記第２通水スペースの容積は、前記第１通水スペースの容積よりも大きい、シャワーヘッド。
【請求項２】
前記通水部は、前記接続箇所よりも基端側で前記散水板に対向する第１対向面と、前記接続箇所よりも先端側で前記散水板に対向する第２対向面とを有し、
前記第１対向面と前記散水板との最大距離は、前記第２通水スペースにおける、前記第２対向面と前記散水板との最大距離よりも短く設定される、
請求項１に記載のシャワーヘッド。
【請求項３】
前記第１対向面は、基端側から先端側に向かって前記散水板から遠ざかる傾斜面を有する、
請求項２に記載のシャワーヘッド。
【請求項４】
前記第２対向面には、前記吐水管から吐水される水流を分散させる障害物が設けられた、
請求項２又は３に記載のシャワーヘッド。
【請求項５】
前記障害物は、前記通水部と前記通水部を覆うカバーとをねじで固定するボスである
請求項４に記載のシャワーヘッド。
【請求項６】
前記散水板は、ステンレスで形成された、
請求項１から５のいずれか一項に記載のシャワーヘッド。
【発明の詳細な説明】
【技術分野】
【０００１】
本発明は、シャワーヘッドに関する。
【背景技術】
【０００２】
従来のシャワーヘッドには、例えば、特許文献１に記載されているものが知られている。特許文献１に開示されるシャワーヘッドは、内部に通水路を有するシャワーヘッド本体と、通水路の先端部に配置され、複数の散水孔が設けられた散水板とを備える。
【先行技術文献】
【特許文献】
【０００３】
【特許文献１】特開２０１２−１１２６４号公報
【発明の概要】
【発明が解決しようとする課題】
【０００４】
しかしながら、従来のシャワーヘッドは、吐水の最中に吐水を停止すると、その直後において、シャワーヘッド内に負圧が発生することで空気がシャワーヘッド内に入り込む。入り込む空気の量が多くなると、シャワーヘッド内の水が漏出しやすい。このため、特許文献１に開示される構成を含めて、シャワーヘッド内の水の漏出を抑制するという観点において未だ改善の余地がある。
【０００５】
従って、本発明の目的は、前記課題を解決することにあって、シャワーヘッド内の水の漏出を抑制することができるシャワーヘッドを提供することにある。
【課題を解決するための手段】
【０００６】
上記目的を達成するために、本発明の一態様のシャワーヘッドは、シャワーヘッド内部で基端側から先端側に延在する吐水管と、複数の散水孔が設けられた散水面が同一面上に形成された散水板と、前記吐水管と前記散水板の外周部とを接続し、前記吐水管に流れる水を前記散水孔に導く通水部と、を備え、前記散水板の先端側が基端側よりも高く位置するように置かれる、シャワーヘッドであって、前記吐水管の下流端部と前記通水部との接続箇所は、前記吐水管が延在する方向において、前記散水板の基端側の端部よりも先端側に位置し、前記通水部は、前記吐水管と前記散水板との間で水を通す通水スペースを形成し、前記通水スペースは、前記散水板の中心位置に対して基端側の第１通水スペースと、前記散水板の中心位置に対して先端側の第２通水スペースと、で構成され、前記第２通水スペースの容積は、前記第１通水スペースの容積よりも大きい。
【発明の効果】
【０００７】
本発明に係るシャワーヘッドによれば、シャワーヘッド内の水の漏出を抑制することができる。
【図面の簡単な説明】
【０００８】
【図１】本発明の実施形態に係るシャワーヘッドの使用環境を示す外観図
【図２】本発明の実施形態に係るシャワーヘッドの斜視図
【図３】シャワーフックで保持された状態の図２のシャワーヘッドの側面図
【図４】図２のシャワーヘッドをＡ−Ａ線で切断した断面図
【図５Ａ】図４の通水部を上方から見た図
【図５Ｂ】図４の通水部を下方から見た図
【図６Ａ】図２のシャワーヘッド本体を図５ＡのＢ１−Ｂ１線で切断した断面図
【図６Ｂ】図２のシャワーヘッド本体を図５ＡのＢ１−Ｂ２線で切断した断面図
【発明を実施するための形態】
【０００９】
（本発明の基礎となった知見）
本発明者らは、シャワーヘッド内の水の漏出を抑制するために鋭意検討した結果、以下の知見を得た。
【００１０】
浴室の壁面に設けられたシャワーフックに、使用者がシャワーヘッドを配置する場合、シャワーヘッド内に残存する水が外部に漏出するという課題がある。
【００１１】
水の漏出の要因について、本発明者らは鋭意検討した結果、以下の考察を得た。シャワー吐水の最中に吐水を停止すると、その直後において、シャワーヘッド内に負圧が発生する。これにより、散水板の散水孔を通じて、水が溜まっているシャワーヘッド内へと外部から空気が入り込む。入り込んだ空気とシャワーヘッド内の水との間に境界面（水面）が生じ、空気がシャワーヘッド内に入り込むにつれて水面の高さは低くなっていく。
【００１２】
止水後の定常状態において、水面の高さが散水孔の高さよりも高い場合、散水孔内の水に働く表面張力によりシャワーヘッド内の水は保持される。一方、水面の高さが散水孔の高さ以下の場合、散水孔内の水に働く表面張力が失われることで、散水孔を通じて外部からシャワーヘッド内に空気が供給される。このため、シャワーヘッドの内部と外部とが連通した状態となり、空気が外部からシャワーヘッド内に連続的に流入する。これにより、シャワーヘッド内の水は外部へと漏出する。
【００１３】
従来のシャワーヘッドにおいて、シャワーヘッド内に溜めることができる空気の量が少ないため、シャワーヘッド内の水面の高さが散水孔の高さよりも低くなりやすい。これに対して、本発明者らは、シャワーヘッド内の通水スペースの先端側を基端側よりも容積を大きくすることで先端側により多くの空気を溜めることができ、シャワーヘッド内の水面の高さが散水孔の高さよりも低くなることを抑制できることを見出した。これにより、本発明者らは、シャワーヘッド内の水が外部に漏出することを抑制できることを見出した。
【００１４】
これらの新規な知見に基づき、本発明者らは、以下の発明に至った。
【００１５】
以下に、本発明に係る実施形態を図面に基づいて詳細に説明する。なお、この実施形態によって本発明が限定されるものではない。
【００１６】
（実施形態）
図１は、本発明の実施形態に係るシャワーヘッド１０の使用環境を示す外観図である。シャワーヘッド１０は、浴室において使用される浴室用のシャワーヘッド１０である。図１に示すように、本実施形態では、浴室の壁面１に水栓２が設けられる。水栓２にはシャワーホース６０が取り付けられ、シャワーホース６０の先端部にシャワーヘッド１０が取り付けられる。水栓２から吐水された水は、シャワーホース６０を通じてシャワーヘッド１０からシャワー吐水される。シャワーヘッド１０及びシャワーホース６０は、シャワーフック６１によって着脱自在に保持される。シャワーフック６１は、壁面１に設けられる。
【００１７】
図２は、シャワーヘッド１０の斜視図である。図３は、シャワーフック６１で保持された状態のシャワーヘッド１０の側面図である。図２及び図３に示すように、本実施形態では、シャワーヘッド１０は、保持部２０と、グリップ３０と、シャワーヘッド本体４０とを備える。
【００１８】
保持部２０は、シャワーホース６０に接続され、シャワーフック６１に引っ掛けられる部材である。グリップ３０は、シャワーヘッド１０を使用する際に使用者が手で握る部分である。グリップ３０は、シャワーフック６１への取り付け状態において斜め上方に延在して筒状に形成され、保持部２０に対して螺合して取り付けられる。
【００１９】
シャワーヘッド本体４０は、シャワーヘッド１０の本体を構成する部材であって、本体部４１と、散水板４２とを備える。本体部４１は、グリップ３０に接続され、グリップ３０が延在する方向に対して下方に屈曲して形成される部材である。本体部４１は、斜め下方に向かって開口を形成し、散水板４２と接続する部材である。散水板４２は、本体部４１に対して螺合して取り付けられる部材である。散水板４２は、本体部４１の開口を覆うように、本体部４１に取り付けられる。図２に示すように、散水板４２には、複数の散水孔４４が設けられた散水面４３が同一面上に形成される。すなわち、散水板４２の散水面４３には、段差が形成されていない。本実施形態では、散水板４２は、ステンレスで形成される。
【００２０】
図３に示すように、シャワーヘッド１０は、散水板４２の先端側が基端側よりも高く位置するように置かれる。壁面１と保持部２０の軸方向とが成す角度θ１は、例えば１５度である。保持部２０の軸方向とグリップ３０の軸方向とが成す角度θ２は、例えば１０度である。グリップ３０の軸方向と散水面４３とが成す角度θ３は、例えば３０度である。すなわち、壁面１と散水面４３とが成す角度θ４は、例えば５５度である。
【００２１】
図４は、図２のシャワーヘッド１０をＡ−Ａ線で切断した断面図である。図４に示すように、シャワーヘッド１０の内部には、吐水管４５が設けられる。吐水管４５は、シャワーヘッド１０内部で基端側から先端側に延在して形成される。具体的には、吐水管４５は、グリップ３０の内部においてグリップ３０が延在する方向に向かって延在する。吐水管４５の下流端部は、グリップ３０が延在する方向に対して下方に屈曲して形成される。
【００２２】
本体部４１は、カバー４６と、通水部４７とを備える。カバー４６は、グリップ３０に取り付けられ、後述する通水部４７を覆う部材である。通水部４７は、吐水管４５と散水板４２の外周部とを接続し、吐水管４５に流れる水を散水孔４４に導くための部材である。
【００２３】
以下、通水部４７について詳細に説明する。図５Ａは、図４の通水部４７を上方から見た図である。図５Ｂは、図４の通水部４７を下方から見た図である。図５Ａ及び図５Ｂに示すように、通水部４７は、上流空間形成部４８と、下流空間形成部４９とを備える。
【００２４】
上流空間形成部４８は、筒状部４８ａと拡径部４８ｂとを有する。筒状部４８ａは円管形状に形成され、吐水管４５（図４）が挿入される。拡径部４８ｂは、吐水管４５の下流端部から先端側に向かうに従い内部空間が広がるように、扇状に形成される。これにより、筒状部４８ａと拡径部４８ｂとの接続部において乱流が発生することを抑制することができる。上流空間形成部４８の下面には扇状の開口が形成される。下流空間形成部４９の上面は、上流空間形成部４８の下面と接続する。下流空間形成部４９の下面において、円形の開口が形成され、散水板４２に覆われる。
【００２５】
図６Ａは、シャワーヘッド本体４０を図５ＡのＢ１−Ｂ１線で切断した断面図である。図６Ｂは、シャワーヘッド本体４０をＢ１−Ｂ２線で切断した断面図である。図６Ａ及び図６Ｂに示すように、吐水管４５の下流端部と通水部４７との接続箇所５０は、吐水管４５が延在する方向（Ｄ１）において、散水板４２の基端側の端部４２ａよりも先端側に位置する。本実施形態では、接続箇所５０は、吐水管４５が延在する方向（Ｄ１）において、散水板４２の中央寄りに位置する。
【００２６】
通水部４７は、第１対向面Ｓ１と第２対向面Ｓ２とを有する。第１対向面Ｓ１は、接続箇所５０よりも基端側で散水板４２に対向する。第２対向面Ｓ２は、接続箇所５０よりも先端側で散水板４２に対向する。本実施形態では、第１対向面Ｓ１は、基端側から先端側に向かって散水板４２から遠ざかる傾斜面を有する。
【００２７】
第２対向面Ｓ２には、吐水管４５から吐水される水流を分散させる障害物が設けられる。本実施形態では、当該障害物は、通水部４７と通水部４７を覆うカバー４６とをねじ５１で固定するボス５２である。
【００２８】
通水部４７は、吐水管４５と散水板４２との間で水を通す通水スペース５３を形成する。通水スペース５３は、散水板４２の中心位置５４に対して基端側の第１通水スペース５３ａと、散水板４２の中心位置５４に対して先端側の第２通水スペース５３ｂとで構成される。具体的には、第１通水スペース５３ａは、散水板４２を先端側と基端側とに２等分する中心線を通り散水板４２に直交する方向に延びる中心面Ｃ１に対して基端側の空間で、第２通水スペース５３ｂは、中心面Ｃ１に対して先端側の空間である。
【００２９】
第２通水スペース５３ｂの容積は、第１通水スペース５３ａの容積よりも大きく設定される。これにより、シャワーヘッド１０内に入り込んだ空気を第２通水スペース５３ｂでより多く溜めることができる。このため、第２通水スペース５３ｂに溜まった空気が外部と連通することを抑制することができ、シャワーヘッド１０内の水の漏出を抑制することができる。吐水管４５に逆止弁を設けることで、シャワーヘッド１０内の水の漏出を抑制する構成も考えられるが、本実施形態では、逆止弁を設けることなく、シャワーヘッド１０内の水の漏出を抑制することができる。
【００３０】
さらに、第１通水スペース５３ａの容積を第２通水スペース５３ｂの容積よりも小さくすることで、第１通水スペース５３ａの容積を第２通水スペース５３ｂの容積以上に設定した場合と比べて、シャワーヘッド１０内の水の保持量を減らすことができる。このため、シャワーヘッド１０内の水が漏出した場合でも、漏出する水の量を減らすことができる。また、通水スペース５３全体の容積を大きくすることができ、通水スペース５３内の圧力が高くなり過ぎることを抑制することができる。このため、散水板４２からの散水の勢いが強くなり過ぎることを抑制することができる。
【００３１】
シャワーフック６１への取り付け状態において、複数の散水孔４４のうち最も上方に位置する散水孔４４ａの高さ位置Ｈ１よりも上方の通水スペース５３の容積は、例えば、通水スペース５３の容積の１／５倍以上、好ましくは１／４倍以上に設定される。このような設定により、シャワーヘッド１０内に入り込んだ空気を高さ位置Ｈ１よりも上方の空間でより多く溜めることができる。このため、シャワーヘッド１０内の水の漏出を抑制することができる。
【００３２】
さらに、図６Ｂに示すように、本実施形態では、第１対向面Ｓ１と散水板４２との最大距離ｄ１は、第２通水スペース５３ｂにおける、第２対向面Ｓ２と散水板４２との最大距離ｄ２よりも短く設定される。これにより、より簡易な構成で、第１通水スペース５３ａ及び第２通水スペース５３ｂの容積を調整できる。このため、第２通水スペース５３ｂの容積を第１通水スペース５３ａの容積よりも容易に大きくすることができる。
【００３３】
上述したように、本実施形態のシャワーヘッド１０は、吐水管４５と、散水板４２と、通水部４７とを備える。吐水管４５は、シャワーヘッド１０内部で基端側から先端側に延在する。散水板４２は、複数の散水孔４４が設けられた散水面４３が同一面上に形成される。通水部４７は、吐水管４５と散水板４２の外周部とを接続し、吐水管４５に流れる水を散水孔４４に導く。シャワーヘッド１０は、散水板４２の先端側が基端側よりも高く位置するように置かれる。吐水管４５の下流端部と通水部４７との接続箇所５０は、吐水管４５が延在する方向において、散水板４２の基端側の端部４２ａよりも先端側に位置する。通水部４７は、吐水管４５と散水板４２との間で水を通す通水スペース５３を形成する。通水スペース５３は、散水板４２の中心位置５４に対して基端側の第１通水スペース５３ａと、散水板４２の中心位置５４に対して先端側の第２通水スペース５３ｂとで構成される。第２通水スペース５３ｂの容積は、第１通水スペース５３ａの容積よりも大きい。
【００３４】
この構成によれば、シャワーヘッド１０内に入り込んだ空気を第２通水スペース５３ｂでより多く溜めることができる。このため、散水面４３の表面張力の低下によるシャワーヘッド１０内の水の漏出を抑制することができる。さらに、第１通水スペース５３ａの容積を第２通水スペース５３ｂの容積よりも小さくすることで、シャワーヘッド１０内の水の保持量を減らすことができる。このため、散水面４３の表面張力の低下によりシャワーヘッド１０内の水が漏出した場合でも、漏出する水の量を減らすことができる。また、第２通水スペース５３ｂが小さい構成と比べて通水スペース５３全体の容積を大きくすることができ、通水スペース５３内の圧力が高くなり過ぎることを抑制することができる。このため、散水板４２からの散水の勢いが強くなり過ぎることを抑制することができる。
【００３５】
また、通水部４７は、接続箇所５０よりも基端側で散水板４２に対向する第１対向面Ｓ１と、接続箇所５０よりも先端側で散水板４２に対向する第２対向面Ｓ２とを有する。１対向面Ｓ１と散水板４２との最大距離ｄ１は、第２通水スペース５３ｂにおける、第２対向面Ｓ２と散水板４２との最大距離ｄ２よりも短く設定される。
【００３６】
この構成によれば、簡易な構成で、第２通水スペース５３ｂの容積を第１通水スペース５３ａの容積よりも容易に大きくすることができる。
【００３７】
また、第１対向面Ｓ１は、基端側から先端側に向かって散水板４２から遠ざかる傾斜面を有する。
【００３８】
この構成によれば、第１通水スペース５３ａに入り込む空気を、第２通水スペース５３ｂに溜まり易くすることができる。
【００３９】
また、第２対向面Ｓ２には、吐水管４５から吐水される水流を分散させる障害物であるボス５２が設けられる。
【００４０】
この構成によれば、ボス５２により吐水管４５から吐水される水流を分散させることで、第２通水スペース５３ｂにおける吐水速度が速くなり過ぎることを抑制することができる。
【００４１】
また、障害物は、通水部４７と通水部４７を覆うカバー４６とをねじ５１で固定するボス５２である。
【００４２】
この構成によれば、第２通水スペース５３ｂにおける吐水速度が速くなり過ぎることをより抑制することができる。
【００４３】
また、散水板４２は、ステンレスで形成される。
【００４４】
この構成によれば、散水板４２を樹脂により形成した場合よりも、シャワーヘッド１０の意匠性をより向上させることができる。シャワーヘッド１０は、内部空間の容積を極力小さくすることで水の漏出を防止する構成ではないため、散水板４２をステンレスにより形成した場合でも、シャワーヘッド１０内の水の漏出を抑制することができる。
【００４５】
なお、本発明は前記実施形態に限定されるものではなく、その他種々の態様で実施できる。例えば、前記実施形態では、シャワーヘッド１０は、浴室において使用される浴室用のシャワーヘッド１０であるとしたが、これに限定されない。シャワーヘッド１０は、浴室以外において使用されてもよい。
【００４６】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００４７】
本発明は、浴室のシャワー等に設けられるシャワーヘッドに有用である。
【符号の説明】
【００４８】
１  壁面
２  水栓
１０  シャワーヘッド
２０  保持部
３０  グリップ
４０  シャワーヘッド本体
４１  本体部
４２  散水板
４２ａ  端部
４３  散水面
４４，４４ａ  散水孔
４５  吐水管
４６  カバー
４７  通水部
４８  上流空間形成部
４８ａ  筒状部
４８ｂ  拡径部
４９  下流空間形成部
５０  接続箇所
５１  ねじ
５２  ボス
５３  通水スペース
５３ａ  第１通水スペース
５３ｂ  第２通水スペース
５４  中心位置
６０  シャワーホース
６１  シャワーフック
Ｓ１  第１対向面
Ｓ２  第２対向面
【図１】
2019097674.tif 000003
【図２】
2019097674.tif 000004
【図３】
2019097674.tif 000005
【図４】
2019097674.tif 000006
【図５Ａ】
2019097674.tif 000007
【図５Ｂ】
2019097674.tif 000008
【図６Ａ】
2019097674.tif 000009
【図６Ｂ】
2019097674.tif 000010